(57)【特許請求の範囲】
【請求項１】
エレベーターのかごの出入口の戸当たり面に沿って配置され、安全装置の投光体または受光体を支持する支持体と、
前記支持体の上部と前記戸当たり面の上部とをまとめて把持する上部把持体と、
前記かごの出入口の下縁部に設けられた敷居の溝に収まった状態で前記支持体の下部の表面側から前記戸当たりの下部の裏面側にわたって配置され、前記支持体の下部に鉛直方向に移動自在に支持され、下方に移動された際は前記支持体の下部と前記戸当たり面の下部とを挟み込む位置よりも下方に配置され、上方に移動された際は前記支持体の下部と前記戸当たり面の下部とを挟み込む位置に配置される下部把持体と、
を備えたエレベーターの安全装置の支持装置。
【請求項２】
前記下部把持体は、
前記支持体の下部の表面側に鉛直方向に移動自在に支持される第１表面側把持部と、
前記第１表面側把持部の下端部から前記戸当たり面の側に突き出す第１連結部と、
前記第１連結部から先端部から上方に突き出す第１裏面側把持部と、
を有し、
前記第１表面側把持部が下方に移動された場合は前記第１裏面側把持部の上端部が前記戸当たり面の下端部よりも低い位置に配置され、前記第１表面側把持部が下方に移動された場合は前記第１裏面側把持部の上端部が前記戸当たり面の下端部よりも高い位置に配置される請求項１に記載のエレベーターの安全装置の支持装置。
【請求項３】
前記下部把持体の前記第１表面側把持部の上方において前記支持体の下部の表面側に設けられる下部スペーサと、
前記支持体の下部と前記下部スペーサと前記下部把持体の前記第１表面側把持部とよりも前記かごの出入口の中央側に配置され、前記下部スペーサに鉛直方向に移動自在に支持され、前記下部把持体の前記第１表面側把持部と連結する下部連結体と、
前記下部把持体の前記第１表面側把持部と前記下部連結体との間に着脱自在に設けられ、前記下部把持体の前記第１表面側把持部と前記下部連結体との間の距離を調整することで、前記下部把持体の前記第１裏面側把持部と前記戸当たり面との間の距離を調整する下部調整用スペーサと、
を備えた請求項２に記載のエレベーターの安全装置の支持装置。
【請求項４】
前記下部連結体は、前記下部把持体の前記第１表面側把持部を水平方向に移動自在に支持する請求項３に記載のエレベーターの安全装置の支持装置。
【請求項５】
前記上部把持体は、前記支持体の上部の表面側から前記戸当たりの裏面側にわたって配置され、前記支持体の上部に鉛直方向に移動自在に支持され、上方に移動された際は前記支持体の上部と前記戸当たり面の上部とを挟み込む位置よりも上方に配置され、下方に移動された際は前記支持体の上部と前記戸当たり面の上部とを挟み込む位置に配置される請求項１から請求項４のいずれか一項に記載のエレベーターの安全装置の支持装置。
【請求項６】
前記上部把持体は、
前記支持体の上部の表面側に鉛直方向に移動自在に支持される第２表面側把持部と、
前記第２表面側把持部の上端部から前記戸当たり面の側に突き出す第２連結部と、
前記第２連結部から先端部から下方に突き出す第２裏面側把持部と、
を有し、
前記第２表面側把持部が上方に移動された場合は前記第２裏面側把持部の下端部が前記戸当たり面の上端部よりも高い位置に配置され、前記第２表面側把持部が下方に移動された場合は、前記第２裏面側把持部の下端部が前記戸当たり面の上端部よりも低い位置に配置される請求項５に記載のエレベーターの安全装置の支持装置。
【請求項７】
前記上部把持体の前記第２表面側把持部の下方において前記支持体の上部の表面側に設けられる上部スペーサと、
前記支持体の上部と前記上部スペーサと前記上部把持体の前記第２表面側把持部とよりも前記かごの出入口の中央側に配置され、前記上部スペーサに鉛直方向に移動自在に支持され、前記上部把持体の前記第２表面側把持部と連結する上部連結体と、
前記上部把持体の前記第２表面側把持部と前記上部連結体との間に着脱自在に設けられ、前記上部把持体の前記第２表面側把持部と前記上部連結体との間の距離を調整することで、前記上部把持体の前記第２裏面側把持部と前記戸当たり面との間の距離を調整する上部調整用スペーサと、
を備えた請求項６に記載のエレベーターの安全装置の支持装置。
【請求項８】
前記上部連結体は、前記上部把持体の前記第２表面側把持部を水平方向に移動自在に支持する請求項７に記載のエレベーターの安全装置の支持装置。
【請求項９】
エレベーターのかごの出入口の戸当たり面に沿って配置され、安全装置の投光体または受光体を支持する支持体と、
前記支持体の下部と前記戸当たり面の下部とをまとめて把持する下部把持体と、
前記支持体の上部の表面側から前記戸当たりの裏面側にわたって配置され、前記支持体の上部に鉛直方向に移動自在に支持され、下方に移動された際は前記支持体の上部と前記戸当たり面の上部とを挟み込む位置よりも上方に配置され、下方に移動された際は前記支持体の上部と前記戸当たり面の上部とを挟み込む位置に配置される上部把持体と、
を備えたエレベーターの安全装置の支持装置。
【請求項１０】
前記投光体および前記受光体の他方の少なくとも一部を覆い、前記支持体の表面側に対して前記かごの出入口の中央の側から着脱自在に設けられるカバー、
を備えた請求項１から請求項９のいずれか一項に記載のエレベーターの安全装置の支持装置。
【請求項１１】
前記支持体は、切り欠きを有し、
前記カバーは、前記切り欠きに上方から引っ掛かるロック片を有する請求項１０に記載のエレベーターの安全装置の支持装置。
【請求項１２】
前記支持体は、前記カバーの一部を把持するクリップを有する請求項１０に記載のエレベーターの安全装置の支持装置。
【請求項１３】
前記支持体は、軸の方向を鉛直方向とする柱体を有し、
前記カバーは、前記柱体に前記かごの出入口の中央側から引っ掛かるロック片を有する請求項１０に記載のエレベーターの安全装置の支持装置。
【請求項１４】
エレベーターの安全装置の投光体または受光体を支持する支持体の上部と前記エレベーターのかごの出入口の戸当たり面の上部とを上部把持体でまとめて把持する上部把持工程と、
前記支持体の下部と前記戸当たり面の下部とを下部把持体でまとめて把持する際に、前記支持体に鉛直方向に移動自在に支持された前記下部把持体が前記かごの出入口の下縁部に設けられた溝に収まった状態で前記支持体の下部の表面側から前記戸当たりの下部の裏面側にわたるように配置し、前記下部把持体を前記支持体の下部と前記戸当たり面の下部とを挟み込む位置よりも下方の位置から前記支持体の下部と前記戸当たり面の下部とを挟み込む位置まで上方に移動させる下部把持工程と、
を備えたエレベーターの安全装置の支持方法。
【請求項１５】
前記下部把持工程は、
前記戸当たり面よりも前記かごの出入口の中央側で前記下部把持体を前記溝に収める第１下部工程と、
前記第１下部工程の後、前記戸当たり面よりも前記かごの出入口の中央側で前記下部把持体を前記支持体の下部と前記戸当たり面の下部とを挟み込む位置よりも下方の位置に対応した位置まで下方に移動させる第２下部工程と、
前記第２下部工程の後、前記下部把持体が前記支持体の下部の表面側から前記戸当たり面の下部の裏面側にわたるまで前記支持体を前記戸当たり面の側に移動させる第３下部工程と、
第３下部工程の後、前記下部把持体を前記支持体の下部と前記戸当たり面の下部とを挟み込む位置まで上方に移動させる第４下部工程と、
を備えた請求項１４に記載のエレベーターの安全装置の支持方法。
【請求項１６】
前記上部把持工程は、前記支持体の上部と前記戸当たり面の上部とを前記上部把持体でまとめて把持する際に、前記支持体に鉛直方向に移動自在に支持された前記上部把持体が前記支持体の表面側から前記戸当たりの下部の裏面側までわたるように配置し、前記上部把持体を前記支持体の上部と前記戸当たり面の上部とを挟み込む位置よりも上方の位置から前記支持体の上部と前記戸当たり面の上部とを挟み込む位置まで下方に移動させる工程である請求項１４または請求項１５に記載のエレベーターの安全装置の支持方法。
【請求項１７】
前記上部把持工程は、
前記戸当たり面よりも前記かごの出入口の中央側で前記上部把持体を前記支持体の上部と前記戸当たり面の上部とを挟み込む位置よりも上方の位置に対応した位置まで上方に移動させる第１上部工程と、
前記第１上部工程の後、前記上部把持体が前記支持体の上部の表面側から前記戸当たりの上部の裏面側にわたるまで前記支持体を前記戸当たり面の側に移動させる第２上部工程と、
前記第２上部工程の後、前記上部把持体を前記支持体の下部と前記戸当たり面の下部とを挟み込む位置まで下方に移動させる第３上部工程と、
を備えた請求項１６に記載のエレベーターの安全装置の支持方法。
【請求項１８】
エレベーターの安全装置の投光体または受光体を支持する支持体の下部と前記エレベーターのかごの出入口の戸当たり面の下部とを下部把持体でまとめて把持する下部把持工程と、
前記支持体の上部と前記戸当たり面の上部とを上部把持体でまとめて把持する際に、前記支持体に鉛直方向に移動自在に支持された前記上部把持体が前記支持体の上部の表面側から前記戸当たりの上部の裏面側に渡るように配置し、前記上部把持体を前記支持体の上部と前記戸当たり面の上部とを挟み込む位置よりも上方の位置から前記支持体の上部と前記戸当たり面の上部とを挟み込む位置まで下方に移動させる下部把持工程と、
を備えたエレベーターの安全装置の支持方法。
【発明の詳細な説明】
【技術分野】
【０００１】
この発明は、エレベーターのかごの出入口に設けられる安全装置を支持する支持装置および支持方法に関する。
【背景技術】
【０００２】
特許文献１は、エレベーターの安全装置を開示する。当該安全装置は、既設のかごドアと戸当たり柱とに設け得る。この際、投光器または受光器は、既設の戸当り柱の戸当たり面よりも乗場側に配置される。投光器の下部または受光器の下部は、戸当たり面よりも乗場側から延ばした延長腕の端部がかごの敷居の溝に収まることにより戸当たり柱に支持される。
【先行技術文献】
【特許文献】
【０００３】
【特許文献１】日本特許第６４０１８１９号公報
【発明の概要】
【発明が解決しようとする課題】
【０００４】
しかしながら、特許文献１に記載の安全装置においては、延長腕が変形しやすい。このため、投光器の下部または受光器の下部を既設の戸当り柱で確実に支持することができない。【０００５】
この発明は、上述の課題を解決するためになされた。この発明の目的は、安全装置を戸当たり柱で確実に支持することができるエレベーターの安全装置の支持装置および支持方法を提供することである。
【課題を解決するための手段】
【０００６】
この発明に係るエレベーターの安全装置の支持装置は、エレベーターのかごの出入口の戸当たり面に沿って配置され、安全装置の投光体または受光体を支持する支持体と、前記支持体の上部と前記戸当たり面の上部とをまとめて把持する上部把持体と、前記かごの出入口の下縁部に設けられた敷居の溝に収まった状態で前記支持体の下部の表面側から前記戸当たりの下部の裏面側にわたって配置され、前記支持体の下部に鉛直方向に移動自在に支持され、下方に移動された際は前記支持体の下部と前記戸当たり面の下部とを挟み込む位置よりも下方に配置され、上方に移動された際は前記支持体の下部と前記戸当たり面の下部とを挟み込む位置に配置される下部把持体と、を備えた。【０００７】
この発明に係るエレベーターの安全装置の支持方法は、エレベーターの安全装置の投光体または受光体を支持する支持体の上部と前記エレベーターのかごの出入口の戸当たり面の上部とを上部把持体でまとめて把持する上部把持工程と、前記支持体の下部と前記戸当たり面の下部とを下部把持体でまとめて把持する際に、前記支持体に鉛直方向に移動自在に支持された前記下部把持体が前記かごの出入口の下縁部に設けられた溝に収まった状態で前記支持体の下部の表面側から前記戸当たりの下部の裏面側に渡るように配置し、前記下部把持体を前記支持体の下部と前記戸当たり面の下部とを挟み込む位置よりも下方の位置から前記支持体の下部と前記戸当たり面の下部とを挟み込む位置まで上方に移動させる下部把持工程と、を備えた。
【発明の効果】
【０００８】
この発明によれば、上部把持体は、支持体の上部と戸当たり面の上部とをまとめて把持する。下部把持体は、かごの出入口の下縁部に設けられた溝に収まった状態で支持体の下部と戸当たり面の下部とを挟み込む。このため、安全装置を戸当たり柱で確実に支持することができる。
【図面の簡単な説明】
【０００９】
【図１】実施の形態１におけるエレベーターの安全装置が設けられるエレベーターのかごの横断面図である。
【図２】実施の形態１におけるエレベーターの安全装置が設けられるエレベーターのかごの要部の横断面図である。
【図３】実施の形態１におけるエレベーターの安全装置の受光体の取付状態の概要を説明するための斜視図である。
【図４】実施の形態１におけるエレベーターの安全装置の受光体が取り付けられた戸当たり柱の斜視図である。
【図５】実施の形態１におけるエレベーターの安全装置の受光体が取り付けられた戸当たり柱の縦断面図である。
【図６】実施の形態１におけるエレベーターの安全装置の支持体の下部を支持する際の手順を説明するための要部の拡大図である。
【図７】実施の形態１におけるエレベーターの安全装置の支持体の下部を支持する際の手順を説明するための要部の拡大図である。
【図８】実施の形態１におけるエレベーターの安全装置の支持体の下部を支持する際の手順を説明するための要部の拡大図である。
【図９】実施の形態１におけるエレベーターの安全装置の支持体の下部を支持する際の手順を説明するための要部の拡大図である。
【図１０】実施の形態１におけるエレベーターの安全装置の支持体の下部を支持する際の手順を説明するための要部の拡大図である。
【図１１】実施の形態１におけるエレベーターの安全装置の支持体の下部を支持する際の手順を説明するための要部の拡大図である。
【図１２】実施の形態１におけるエレベーターの安全装置の支持体の上部を支持する際の手順を説明するための要部の拡大図である。
【図１３】実施の形態１におけるエレベーターの安全装置の支持体の上部を支持する際の手順を説明するための要部の拡大図である。
【図１４】実施の形態１におけるエレベーターの安全装置の支持体の上部を支持する際の手順を説明するための要部の拡大図である。
【図１５】実施の形態１におけるエレベーターの安全装置の支持体の上部を支持する際の手順を説明するための要部の拡大図である。
【図１６】実施の形態１におけるエレベーターの安全装置の支持体の上部を支持する際の手順を説明するための要部の拡大図である。
【図１７】実施の形態１におけるエレベーターの安全装置の支持体の上部を支持する際の手順を説明するための要部の拡大図である。
【図１８】実施の形態１におけるエレベーターの安全装置の支持体の正面図である。
【図１９】実施の形態１におけるエレベーターの安全装置の支持体に取り付けられる第１カバーを裏面側から見た図である。
【図２０】実施の形態１におけるエレベーターの安全装置の支持体に取り付けられる第２カバーを裏面側から見た図である。
【図２１】実施の形態１におけるエレベーターの安全装置の支持体に取り付けられる第１カバーの第１ロック片の側面図である。
【図２２】実施の形態１におけるエレベーターの安全装置の支持装置による受光体の保護を説明するための正面図である。
【図２３】実施の形態２におけるエレベーターの安全装置の支持装置による受光体の支持と受光体の保護とを説明するための横断面図である。
【図２４】実施の形態２におけるエレベーターの安全装置の支持装置による受光体の支持と受光体の保護とを説明するための横断面図である。
【図２５】実施の形態２におけるエレベーターの安全装置の支持装置による受光体の支持と受光体の保護とを説明するための横断面図である。
【図２６】実施の形態３におけるエレベーターの安全装置の受光体が取り付けられた戸当たり柱の横断面図である。
【図２７】実施の形態３におけるエレベーターの安全装置の受光体が取り付けられた戸当たり柱の縦断面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略する。
【００１１】
実施の形態１．
図１は実施の形態１におけるエレベーターの安全装置が設けられるエレベーターのかごの横断面図である。図２は実施の形態１におけるエレベーターの安全装置が設けられるエレベーターのかごの要部の横断面図である。
【００１２】
図１および図２において、かご１は、図示されない昇降路の内部を昇降し得るように設けられる。
【００１３】
かごドア２は、片開き式のドアである。かごドア２は、少なくとも１枚のドアパネルを備える。かごドア２は、かご１の出入口の一側から他側に向かって閉まるように設けられる。
【００１４】
戸当たり柱３は、かご１の出入口の他側の縁部に設けられる。戸当たり柱３は、戸当たり面４を備える。戸当たり面４は、かごドア２が閉じた際にかごドア２の先端部と対向するように配置される。
【００１５】
安全装置５は、投光体６と受光体７とを備える。
【００１６】
例えば、投光体６は、かごドア２の先端部に沿って設けられる。投光体６は、図示されない複数の投光素子を備える。複数の投光素子は、かご１の出入口の他側に向かって水平方向に光を投じるように配置される。
【００１７】
例えば、受光体７は、戸当たり面４に沿って設けられる。受光体７は、図示されない複数の受光素子を備える。複数の受光素子の各々は、複数の投光素子の各々からの光を受けるように配置される。
【００１８】
物体がかご１の出入口に存在しない場合、複数の投光素子の各々からの光は、複数の受光素子の各々に到達する。複数の受光素子の各々は、複数の投光素子の各々からの光を正しく受ける。この場合、図示されない制御装置は、物体がかご１の出入口に存在しないと判定する。
【００１９】
物体がかご１の出入口に存在する場合、複数の投光素子のいずれかからの光は、物体に遮られることにより対応した受光素子に到達しない。当該受光素子は、対応した投光素子からの光を正しく受けない。この場合、制御装置は、物体がかご１の出入口に存在すると判定する。
【００２０】
次に、図３を用いて、受光体７の取付状態の概要を説明する。
図３は実施の形態１におけるエレベーターの安全装置の受光体の取付状態の概要を説明するための斜視図である。
【００２１】
図３の左側は、受光体７が取り付けられる前の戸当たり柱３である。図３の右側は、受光体７が取り付けられた後の戸当たり柱３である。この際、戸当たり柱３に対しては、穴あけ等の加工はなされない。
【００２２】
次に、図４と図５とを用いて、受光体７を取り付ける個所の詳細を説明する。
図４は実施の形態１におけるエレベーターの安全装置の受光体が取り付けられた戸当たり柱の斜視図である。図５は実施の形態１におけるエレベーターの安全装置の受光体が取り付けられた戸当たり柱の縦断面図である。
【００２３】
図４に示されるように、安全装置５は、支持体８と下部把持体９と上部把持体１０とを備える。支持体８と下部把持体９と上部把持体１０は、図４においては図示されない受光体７の支持装置として機能する。
【００２４】
例えば、支持体８は、ステンレスで形成される。支持体８は、戸当たり面４に沿って設けられる。支持体８は、受光体７を支持する。
【００２５】
例えば、下部把持体９は、ステンレスで形成される。下部把持体９は、支持体８の下部と戸当たり面４の下部とをまとめて把持する。
【００２６】
例えば、上部把持体１０は、ステンレスで形成される。上部把持体１０は、支持体８の上部と戸当たり面４の上部とをまとめて把持する。
【００２７】
図５に示されるように、下部把持体９は、第１表面側把持部９ａと第１連結部９ｂと第１裏面側把持部９ｃとを備える。
【００２８】
第１表面側把持部９ａは、支持体８の下部の表面側に鉛直方向に移動自在に支持される。第１連結部９ｂは、第１表面側把持部９ａの下端部から戸当たり面４の側に突き出す。第１裏面側把持部９ｃは、第１連結部９ｂの先端部から上方に突き出す。
【００２９】
第１表面側把持部９ａが下方に移動された場合、第１裏面側把持部９ｃの上端部は、戸当たり面４の下端部よりも低い位置に配置される。その結果、第１表面側把持部９ａと第１裏面側把持部９ｃとは、支持体８の下部と戸当たり面４の下部とを挟み込む位置よりも下方に配置される。第１表面側把持部９ａが上方に移動された場合、第１裏面側把持部９ｃの上端部は、戸当たり面４の下端部よりも高い位置に配置される。その結果、第１表面側把持部９ａと第１裏面側把持部９ｃとは、支持体８の下部と戸当たり面４の下部とを挟み込む位置に配置される。
【００３０】
下部スペーサ２３は、支持体８の下部の表面側に設けられる。下部スペーサ２３は、第１スタッドボルト８ａに貫かれる。
【００３１】
下部連結体２４は、支持体８の下部と下部スペーサ２３と下部把持体９の第１表面側把持部９ａとよりもかご１の出入口の中央側に配置される。下部連結体２４は、第１スタッドボルト８ａに貫かれる。第１ワッシャー１２は、第１スタッドボルト８ａに貫かれる。第１ナット１３は、第１ワッシャー１２よりも第１スタッドボルト８ａの先端部の側から第１スタッドボルト８ａにねじ込まれる。
【００３２】
下部ボルト９ｄは、下部連結体２４の下部と下部把持体９の第１表面側把持部９ａの上部とにかご１の出入口の中央側からねじ込まれる。下部ワッシャー２５は、下部ボルト９ｄに貫かれる。下部調整用スペーサ２７は、下部連結体２４の下部と下部把持体９の第１表面側把持部９ａの上部との間に着脱自在に設けられる。
【００３３】
例えば、第１緩衝体１１は、ゴムで形成される。第１緩衝体１１は、戸当たり面４の下部と第１裏面側把持部９ｃとの間に配置される。例えば、第１緩衝体１１は、第１裏面側把持部９ｃにビスで固定される。
【００３４】
上部把持体１０は、第２表面側把持部１０ａと第２連結部１０ｂと第２裏面側把持部１０ｃとを備える。
【００３５】
第２表面側把持部１０ａは、支持体８の上部の表面側に鉛直方向に移動自在に支持される。第２連結部１０ｂは、第２表面側把持部１０ａの上端部から戸当たり面４の側に突き出す。第２裏面側把持部１０ｃは、第２連結部１０ｂの先端部から下方に突き出す。
【００３６】
第２表面側把持部１０ａが上方に移動された場合、第２裏面側把持部１０ｃの下端部は、戸当たり面４の上端部よりも高い位置に配置される。その結果、第２表面側把持部１０ａと第２裏面側把持部１０ｃとは、支持体８の上部と戸当たり面４の上部とを挟み込む位置よりも上方に配置される。第２表面側把持部１０ａが下方に移動された場合、第２裏面側把持部１０ｃの下端部は、戸当たり面４の上端部よりも低い位置に配置される。その結果、第２表面側把持部１０ａと第２裏面側把持部１０ｃとは、支持体８の下部と戸当たり面４の下部とを挟み込む位置に配置される。
【００３７】
上部スペーサ２８は、支持体８の上部の表面側に設けられる。上部スペーサ２８は、第２スタッドボルト８ｂに貫かれる。
【００３８】
上部連結体２９は、支持体８の上部と上部スペーサ２８と上部把持体１０の第２表面側把持部１０ａとよりもかご１の出入口の中央側に配置される。上部連結体２９は、第２スタッドボルト８ｂに貫かれる。第２ワッシャー１５は、第２スタッドボルト８ｂに貫かれる。第２ナット１６は、第２ワッシャー１５よりも第２スタッドボルト８ｂの先端部の側から第２スタッドボルト８ｂにねじ込まれる。
【００３９】
上部ボルト１０ｄは、上部連結体２９の上部と上部把持体１０の第２表面側把持部１０ａの下部とにかご１の出入口の中央側からねじ込まれる。上部ワッシャー３０は、上部ボルトに貫かれる。上部調整用スペーサ３２は、上部連結体２９の上部と上部把持体１０の第２表面側把持部１０ａの下部との間に着脱自在に設けられる。
【００４０】
例えば、第２緩衝体１４は、ゴムで形成される。第２緩衝体１４は、戸当たり面４の上部と第２裏面側把持部１０ｃとの間に配置される。第２緩衝体１４は、第２裏面側把持部１０ｃにビスで固定される。
【００４１】
次に、図６から図１１を用いて、支持体８の下部を支持する際の手順を説明する。
図６から図１１は実施の形態１におけるエレベーターの安全装置の支持体の下部を支持する際の手順を説明するための要部の拡大図である。
【００４２】
図６と図７とに示されるように、下部把持体９は、戸当たり面４よりもかご１の出入口の中央側で敷居１ａの溝に収められる。この際、下部把持体９は、支持体８の下部と戸当たり面４の下部とを挟み込む位置よりも下方の位置に対応した位置まで下方に移動される。支持体８は、下部把持体９が支持体８の下部の表面側から戸当たり面４の下部の裏面側にわたるまで戸当たり面４の側に移動される。
【００４３】
その後、図８と図９とに示されるように、下部把持体９は、支持体８の下部と戸当たり面４の下部とを挟み込む位置まで上方に移動される。
【００４４】
その後、図１０と図１１とに示されるように、下部調整用スペーサ２７は、下部連結体２４の下部と下部把持体９の第１表面側把持部９ａの上部との間に挿入される。この際、下部調整用スペーサ２７の枚数は、戸当たり面４の厚さに応じて決定される。この状態において、下部ボルト９ｄがねじ込まれる。その結果、第１緩衝体１１の弾性力により、支持体８の下部が支持される。
【００４５】
次に、図１２から図１７を用いて、支持体８の上部を支持する際の手順を説明する。
図１２から図１７は実施の形態１におけるエレベーターの安全装置の支持体の上部を支持する際の手順を説明するための要部の拡大図である。
【００４６】
図１２と図１３とに示されるように、上部把持体１０は、戸当たり面４よりもかご１の出入口の中央側で支持体８の上部と戸当たり面４の上部とを挟み込む位置よりも上方の位置に対応した位置まで上方に移動される。支持体８は、上部把持体１０が支持体８の上部の表面側から戸当たり面４の上部の裏面側にわたるまで戸当たり面４の側に移動される。
【００４７】
その後、図１４と図１５とに示されるように、上部把持体１０は、支持体８の上部と戸当たり面４の上部とを挟み込む位置まで下方に移動される。
【００４８】
その後、図１６と図１７とに示されるように、上部把持体１０は、第２裏面側把持部１０ｃが戸当たり面４の裏面側かつ手前側に形成された壁面に接触するまで水平方向に移動される。その後、上部調整用スペーサ３２は、上部連結体２９の上部と上部把持体１０の第２表面側把持部１０ａとの間に挿入される。この際、上部調整用スペーサ３２の枚数は、戸当たり面４の厚さに応じて決定される。この状態において、上部ボルト１０ｄがねじ込まれる。その結果、第２緩衝体１４の弾性力により、支持体８の上部が支持される。
【００４９】
次に、図１８から図２２を用いて、受光体７の保護を説明する。
図１８は実施の形態１におけるエレベーターの安全装置の支持体の正面図である。図１９は実施の形態１におけるエレベーターの安全装置の支持体に取り付けられる第１カバーを裏面側から見た図である。図２０は実施の形態１におけるエレベーターの安全装置の支持体に取り付けられる第２カバーを裏面側から見た図である。図２１は、実施の形態１におけるエレベーターの安全装置の支持体に取り付けられる第１カバーの第１ロック片の側面図である。図２２は実施の形態１におけるエレベーターの安全装置の支持装置による受光体の保護を説明するための正面図である。
【００５０】
図１８に示されるように、複数の第１切り欠きＡは、支持体８において乗場の側に鉛直方向に並んで形成される。複数の第２切り欠きＢは、支持体８においてかご１の側に鉛直方向に並んで形成される。
【００５１】
図１９に示されるように、第１カバー２１は、複数の第１ロック片Ｃを備える。複数の第１ロック片Ｃは、鉛直方向に並んで設けられる。
【００５２】
図２０に示されるように、第２カバー２２は、複数の第２ロック片Ｄを備える。複数の第２ロック片Ｄは、鉛直方向に並んで設けられる。
【００５３】
図２１に示されるように、第１ロック片Ｃは、下側に開口する。第１ロック片Ｃは、第１カバー２１の裏面に設けられたスタッドボルトＥに貫かれる。ナットＦは、スタッドボルトＥにねじ込まれる。その結果、第１ロック片Ｃは、第１カバー２１の裏面に固定される。図示されないが、第２ロック片Ｄも、第１ロック片Ｃと同様の方法により第２カバー２２の裏面に固定される。
【００５４】
図２２に示されるように、第１カバー２１は、支持体８において乗場の側に取り付けられる。この際、図２２においては図示されない複数の第１ロック片Ｃの各々は、図２２においては図示されない複数の第１切り欠きＡの各々に上方から引っ掛かる。
【００５５】
第２カバー２２は、支持体８においてかご１の側に取り付けられる。この際、図２２においては図示されない複数の第２ロック片Ｄの各々は、図２２においては図示されない複数の第２切り欠きＢの各々に上方から引っ掛かる。
【００５６】
以上で説明した実施の形態１によれば、下部把持体９は、支持体８の下部と戸当たり面４の下部とをまとめて把持する。この際、下部把持体９は、敷居１ａの溝に収まった状態で水平方向ではなく上方に移動されることで、支持体８の下部と戸当たり面４の下部とを挟み込む。上部把持体１０は、支持体８の上部と戸当たり面４の上部とをまとめて把持する。このため、戸当たり柱３への加工を要することなく安全装置５を戸当たり柱３で確実に支持することができる。
【００５７】
例えば、既設の戸当たり柱３に対しても、安全装置５を容易に設置することができる。このため、安全装置５のために、新設の戸当たり柱３を用意する必要がない。さらに、新設の戸当たり柱３との接触を避けるために、昇降路に設けられた機器を移動させる必要がない。その結果、安全装置５を設置する際の作業時間を短くすることができる。
【００５８】
また、下部把持体９において、第１連結部９ｂは、支持体８と戸当たり面４との下方においてかご１の敷居１ａの溝に収まる。このため、支持体８の下部が戸当たり面４に対してかご１の前後方向に移動することを抑制できる。
【００５９】
また、上部把持体１０において、第２裏面側把持部１０ｃは、戸当たり面４の裏面側かつ手前側に形成された壁面に接触する。このため、支持体８の上部が戸当たり面４に対してかご１の前後方向に移動することを抑制できる。
【００６０】
また、下部連結体２４は、下部把持体９の第１表面側把持部９ａを水平方向に移動自在に支持する。このため、下部把持体９を敷居１ａの溝に容易に収めることができる。
【００６１】
また、下部調整用スペーサ２７は、下部把持体９の第１表面側把持部９ａと下部連結体２４との間の距離を調整する。その結果、下部把持体９の第１裏面側把持部９ｃと戸当たり面４との間の距離が調整される。このため、戸当たり面４の厚さによらず、支持体８の下部と戸当たり面４の下部とを一定の荷重で把持することができる。
【００６２】
また、上部連結体２９は、上部把持体１０の第２表面側把持部１０ａを水平方向に移動自在に支持する。このため、第２裏面側把持部１０ｃを戸当たり面４の裏面側かつ手前側に形成された壁面に容易に接触させることができる。
【００６３】
また、上部調整用スペーサ３２は、上部把持体１０の第２表面側把持部１０ａと上部連結体２９との間の距離を調整する。その結果、上部把持体１０の第２裏面側把持部１０ｃと戸当たり面４との間の距離が調整される。このため、戸当たり面４の厚さによらず、支持体８の上部と戸当たり面４の上部とを一定の荷重で把持することができる。
【００６４】
また、複数の第１ロック片Ｃの各々は、複数の第１切り欠きＡの各々に上方から引っ掛かる。複数の第２ロック片Ｄの各々は、複数の第２切り欠きＢの各々に上方から引っ掛かる。このため、受光体７の一部を容易に保護することができる。
【００６５】
なお、投光体６と受光体７との配置を入れ替えてもよい。この場合も、戸当たり柱３への加工を要することなく安全装置５を戸当たり柱３で確実に支持することができる。
【００６６】
実施の形態２．
図２３から図２５は実施の形態２におけるエレベーターの安全装置の支持装置による受光体の支持と受光体の保護とを説明するための横断面図である。なお、実施の形態１の部分と同一又は相当部分には同一符号が付される。当該部分の説明は省略される。
【００６７】
図２３に示されるように、支持体８は、手前側スタッドボルト８ｃと奥側スタッドボルト８ｄとを備える。
【００６８】
手前側スタッドボルト８ｃは、受光体７においてかご１の手前側に形成された取付部を貫通する。手前側スタッドボルト８ｃには、手前側ナット１７がねじ込まれる。その結果、受光体７の手前側の取付部が支持体８に支持される。
【００６９】
奥側スタッドボルト８ｄは、受光体７においてかご１の奥側に形成された取付部を貫通する。奥側スタッドボルト８ｄには、奥側ナット１８がねじ込まれる。その結果、受光体７の奥側の取付部が支持体８に支持される。
【００７０】
支持体８は、第１保持片８ｅと第２保持片８ｆとを備える。
【００７１】
例えば、第１保持片８ｅは、支持体８と一体で形成される。第１保持片８ｅは、支持体８においてかご１の手前側に設けられる。第１保持片８ｅは、第１突出片と第１屈曲片とを備える。第１突出片は、支持体８からかご１の出入口の中央の側に向けて突き出す。第１屈曲片は、第１突出片の先端部がかご１の奥側に向けて折り曲げられることにより形成される。
【００７２】
例えば、第２保持片８ｆは、ステンレスで形成される。第２保持片８ｆは、支持体８においてかご１の奥側に設けられる。第２保持片８ｆは、第２突出片と第２屈曲片とを備える。第２突出片は、支持体８からかご１の出入口の中央の側に向けて突き出す。第２屈曲片は、第２突出片の先端部がかご１の手前側に向けて折り曲げられることにより形成される。
【００７３】
例えば、第１クリップ１９は、ステンレスで形成される。第１クリップ１９は、第１保持片８ｅに保持される。具体的には、第１クリップ１９は、第１保持部と第１挿入部とを備える。第１保持部は、第１保持片８ｅの第１屈曲部に形成された穴を貫通した状態で第１保持片８ｅに保持される。第１挿入部は、第１保持片８ｅの第１突出片に対してかご１の手前側から接するように配置される。第１挿入部は、かご１の出入口の中央の側に向けて開口する。
【００７４】
例えば、第２クリップ２０は、ステンレスで形成される。第２クリップ２０は、第２保持片８ｆに保持される。具体的には、第２クリップ２０は、第２保持部と第２挿入部とを備える。第２保持部は、第２保持片８ｆの第２屈曲部に形成された穴を貫通した状態で第２保持片８ｆに保持される。第２挿入部は、第２保持片８ｆの第２突出片に対してかご１の奥側から接するように配置される。第２挿入部は、かご１の出入口の中央の側に向けて開口する。
【００７５】
図２４と図２５とに示されるように、第１カバー２１は、第１保持片８ｅに対応して設けられる。第１カバー２１は、第１保持片８ｅと受光体７の手前側の取付部を覆うように設けられる。例えば、第１カバー２１は、２枚のステンレスを接合することにより形成される。第１カバー２１は、支持体８の表面側に対してかご１の出入口の中央側から着脱自在に第１クリップ１９に保持される。具体的には、第１カバー２１は、第１表面側遮蔽部と第１手前側遮蔽部と第１奥側遮蔽部とを備える。第１表面側遮蔽部は、かご１の出入口の中央側から第１保持片８ｅを覆う。第１手前側遮蔽部は、第１保持片８ｅの第１挿入部に挿入された状態でかご１の手前側から第１保持片８ｅを覆う。第１奥側遮蔽部は、かご１の奥側から第１保持片８ｅを覆う。
【００７６】
第２カバー２２は、第２保持片８ｆに対応して設けられる。第２カバー２２は、第２保持片８ｆと受光体７の奥側の取付部を覆うように設けられる。例えば、第２カバー２２は、２枚のステンレスを接合することにより形成される。第２カバー２２は、支持体８の表面側に対してかご１の出入口の中央側から着脱自在に第２クリップ２０に保持される。具体的には、第２カバー２２は、第２表面側遮蔽部と第２手前側遮蔽部と第２奥側遮蔽部と隙間遮蔽部を備える。第２表面側遮蔽部は、かご１の出入口の中央の側から第２保持片８ｆを覆う。第２手前側遮蔽部は、第２保持片８ｆの第２挿入部に挿入された状態でかご１の手前側から第２保持片８ｆを覆う。第２奥側遮蔽部は、かご１の奥側から第２保持片８ｆを覆う。隙間遮蔽部は、かご１の出入口の中央の側から戸当たり面４の奥側に形成された壁面と第２保持片８ｆとの間の隙間を覆う。
【００７７】
以上で説明した実施の形態２によれば、第１カバー２１は、支持体８の表面側に対してかご１の出入口の中央側から着脱自在に第１クリップ１９に保持される。第２カバー２２は、支持体８の表面側に対してかご１の出入口の中央側から着脱自在に第２クリップ２０に保持される。このため、受光体７の手前側および奥側の取付部を容易に保護することができる。
【００７８】
なお、支持体８において、受光体７の手前側また奥側の取付部をクリップ等の弾性力で保持してもよい。この場合も、受光体７を支持体８で容易に支持することができる。
【００７９】
実施の形態３．
図２６は実施の形態３におけるエレベーターの安全装置の受光体が取り付けられた戸当たり柱の横断面図である。図２７は実施の形態３におけるエレベーターの安全装置の受光体が取り付けられた戸当たり柱の縦断面図である。なお、実施の形態１の部分と同一又は相当部分には同一符号が付される。当該部分の説明は省略される。
【００８０】
実施の形態３の安全装置５において、支持体８は、上端部と下端部にそれぞれ柱体８ｇを備える。
【００８１】
柱体８ｇは、円筒状に形成される。柱体８ｇは、支持体８においてかご１の奥側に設けられる。柱体８ｇは、長手方向が鉛直方向になるように配置される。
【００８２】
第２カバー２２は、ロック片２２ａと係合片２２ｂとを備える。例えば、ロック片２２ａと係合片２２ｂとは、ステンレスで形成される。例えば、ロック片２２ａは、Ｓ字状に形成される。例えば、係合片２２ｂは、柱体８ｇを受け入れて支持するための切り欠き部を備える。例えば、係合片２２ｂは、柱体８ｇを受け入れて支持するための孔または長孔を備える。ロック片２２ａは、第２カバー２２が支持体８の表面側に対してかご１の出入口の中央側から接近した際に柱体８ｇに乗り上げた後に引っ掛かるように設けられる。
【００８３】
以上で説明した実施の形態３によれば、ロック片２２ａは、第２カバー２２が支持体８の表面側に対してかご１の出入口の中央側から接近した際に柱体８ｇに引っ掛かるように設けられる。このため、受光体７の一部を容易に保護することができる。
【産業上の利用可能性】
【００８４】
以上のように、この発明に係るエレベーターの安全装置の支持装置および支持方法は、エレベーターシステムに利用できる。
【符号の説明】
【００８５】
１  かご、  １ａ  敷居、  ２  かごドア、  ３  戸当たり柱、  ４  戸当たり面、  ５  安全装置、  ６  投光体、  ７  受光体、  ８  支持体、  ８ａ  第１スタッドボルト、  ８ｂ  第２スタッドボルト、  ８ｃ  手前側スタッドボルト、  ８ｄ  奥側スタッドボルト、  ８ｅ  第１保持片、  ８ｆ  第２保持片、  ８ｇ  柱体、  ９  下部把持体、  ９ａ  第１表面側把持部、  ９ｂ  第１連結部、  ９ｃ  第１裏面側把持部、  ９ｄ  下部ボルト、  １０  上部把持体、  １０ａ  第２表面側把持部、  １０ｂ  第２連結部、  １０ｃ  第２裏面側把持部、  １０ｄ  上部ボルト、  １１  第１緩衝体、  １２  第１ワッシャー、  １３  第１ナット、  １４  第２緩衝体、  １５  第２ワッシャー、  １６  第２ナット、  １７  手前側ナット、  １８  奥側ナット、  １９  第１クリップ、  ２０  第２クリップ、  ２１  第１カバー、  ２２  第２カバー、  ２２ａ  ロック片、  ２２ｂ  係合片、  ２３  下部スペーサ、  ２４  下部連結体、  ２５  下部ワッシャー、  ２６  下部ナット、  ２７  下部調整用スペーサ、  ２８  上部スペーサ、  ２９  上部連結体、  ３０  上部ワッシャー、  ３１  上部ナット、  ３２  上部調整用スペーサ
【図１】
0006874920.tif 000002
【図２】
0006874920.tif 000003
【図３】
0006874920.tif 000004
【図４】
0006874920.tif 000005
【図５】
0006874920.tif 000006
【図６】
0006874920.tif 000007
【図７】
0006874920.tif 000008
【図８】
0006874920.tif 000009
【図９】
0006874920.tif 000010
【図１０】
0006874920.tif 000011
【図１１】
0006874920.tif 000012
【図１２】
0006874920.tif 000013
【図１３】
0006874920.tif 000014
【図１４】
0006874920.tif 000015
【図１５】
0006874920.tif 000016
【図１６】
0006874920.tif 000017
【図１７】
0006874920.tif 000018
【図１８】
0006874920.tif 000019
【図１９】
0006874920.tif 000020
【図２０】
0006874920.tif 000021
【図２１】
0006874920.tif 000022
【図２２】
0006874920.tif 000023
【図２３】
0006874920.tif 000024
【図２４】
0006874920.tif 000025
【図２５】
0006874920.tif 000026
【図２６】
0006874920.tif 000027
【図２７】
0006874920.tif 000028